(57)【要約】【課題】  ばね負荷されたアクチュエータに対抗する閉鎖機構によって、スライドドアが快適かつ容易に開放できるスライドドア用密封装置を提供する。【解決手段】  本発明は、１つの機構により下降できる底部パッキンを含むスライドドア用密封装置であって、前記機構はドアリーフの前面に突出したアクチュエータを含んでおり、該アクチュエータがスライドドアの閉鎖時にアクチュエータに作用している下降機構のばね力に抗して押し込まれ、ばね負荷されたアクチュエータにより付勢されるスライドドアの開放傾向に対抗するためのスライドドア用閉鎖機構を具備し、さらに前記閉鎖機構は前記ドアリーフ１１を閉鎖方向に引張る少なくとも１つの磁石要素１２を有することを特徴とするスライドドア用密封装置に関する。【選択図】      図１
2007040098.tif 000002
【特許請求の範囲】
【請求項１】
１つの機構により下降できる底部パッキンを含むスライドドア用密封装置であって、前記機構はドアリーフの前面に突出したアクチュエータを含んでおり、該アクチュエータがスライドドアの閉鎖時にアクチュエータに作用している下降機構のばね力に抗して押し込まれ、またばね負荷されたアクチュエータにより付勢されるスライドドアの開放傾向に対抗するためのスライドドア用閉鎖機構を具備したスライドドア用密封装置において、前記閉鎖機構は前記ドアリーフ（１１）を閉鎖方向に引張る少なくとも１つの磁石要素（１２）を有することを特徴とするスライドドア用密封装置。
【請求項２】
少なくとも１つの磁石要素（１２）または磁石用の相手部材が前記ドアリーフ（１１）またはフレームに取り付けられていることを特徴とする請求項１記載のスライドドア用密封装置。
【請求項３】
少なくとも１つの磁石要素（１２）が少なくとも部分的に前記ドアリーフ（１１）またはフレームの溝（１３）に埋め込まれていることを特徴とする請求項１または２記載のスライドドア用密封装置。
【請求項４】
前記磁石要素（１２）がばね要素（１４）によって前記ドアリーフまたはフレームの溝（１３）において軸方向弾性的に支持されていることを特徴とする請求項１〜３のいずれか１項に記載のスライドドア用密封装置。
【請求項５】
前記磁石要素（１２）または相手部材が前記底部パッキン（１６）用固定装置（１５）の上方の下部区域においてドアリーフ（１１）の前面に装着されていることを特徴とする請求項１〜４のいずれか１項に記載のスライドドア用密封装置。
【請求項６】
前記磁石要素（１２）または相手部材が、固定要素であるねじ（１７）によって、または接着結合によってドアリーフの前面に装着されていることを特徴とする請求項１〜５のいずれか１項に記載のスライドドア用密封装置。
【請求項７】
前記磁石要素（１２）または相手部材が、前記底部パッキン（１６）をドアリーフ（１１）へ固定するための固定要素（１５）である固定用アングルに装着されていることを特徴とする請求項１〜６のいずれか１項に記載のスライドドア用密封装置。
【請求項８】
前記磁石要素（１２）がほぼ円板状に構成されていることを特徴とする請求項１〜７のいずれか１項に記載のスライドドア用密封装置。
【請求項９】
前記磁石要素（１２）がそのほぼ中央に孔を備えていること、また固定ねじ（１７）により単独で、あるいは固定用アングル（１５）と共にドアリーフ（１１）の前面に装着できることを特徴とする請求項１〜８のいずれか１項に記載のスライドドア用密封装置。
【請求項１０】
前記磁石要素（１２）は、長孔（１９）を有する固定用アングル（１５）に装着でき、固定用アングル（１５）がドアリーフ（１１）に対して角度をなして装着できることを特徴とする請求項１〜９のいずれか１項に記載のスライドドア用密封装置。
【請求項１１】
前記磁石要素（１２）のサイズおよび／または該磁石要素を構成する材料は、ばね力を受けるアクチュエータによって付勢されるスライドドアの開放傾向が僅かだけ過剰補償されるように選択されていることを特徴とする請求項１〜１０のいずれか１項に記載のスライドドア用密封装置。
【請求項１２】
スライドドアの閉鎖方向に作用する磁力が相手部材（２１）のサイズおよび／または肉厚によって決定されることを特徴とする請求項１〜１１のいずれか１項に記載のスライドドア用密封装置。
【発明の詳細な説明】
【技術分野】
【０００１】
本発明は、１つの機構によって下降できる底部パッキンを含むスライドドア用密封装置であって、前記機構はドアリーフの前面に突出したアクチュエータを含んでおり、該アクチュエータがスライドドアの閉鎖時にアクチュエータに作用している下降機構のばね力に抗して押し込まれ、さらにばね負荷されたアクチュエータによって付勢されるスライドドアの開放傾向に対抗するためのスライドドア用閉鎖機構を具備したことを特徴とするスライドドア用密封装置に関する。
【背景技術】
【０００２】
特許文献１は冒頭に述べた形式のスライドドア用密封装置を開示しており、該装置の閉鎖機構はジャーナル形状に類似した結合要素、支持台、首状縮径部および頭部からなる。この結合要素はスライドドアの端面区域の孔に受容されており、２つの半径方向に移動可能な球体によって結合要素とスライドドアとの間の引張りに強い結合が実現できる。この場合に対象とされるのは止め金結合に類似した機械的結合であり、スライドドアの開放時に妥当な引張り力により再び解除される。
【０００３】
【特許文献１】西独国特許出願公開３５２６７２０号明細書
【発明の開示】
【発明が解決しようとする課題】
【０００４】
下降できる底部パッキンを備えたスライドドアでは閉鎖機構が必要である。なぜなら、アクチュエータはばね負荷されており、スライドドアを閉じた場合にはアクチュエータは負荷解除を試みる、すなわち、スライドドアが押し付けられている枠部材から離れようとするため、スライドドアの開放傾向が生じるからである。スライドドアの幅が大きい程、スライドドアの全長にわたって底部パッキンをその閉鎖位置へ下降させるための所要力が増大する。それに応じて、ばね負荷されたアクチュエータによる開放傾向はスライドドアの幅が増すにつれて増大する。したがって、スライドドアの自動的開放を防止するために、従来のスライドドアではそれを閉鎖位置に保持するロック機構を用いるのが通例である。但し、そのようなスライドドアでは、ドアを開放するために先ず手動解除を行わなければならないという短所がある。そのため、スライドドアを開放する際に、側方へのスライド動作だけでは不十分となる。このような解除措置が必要であるために、スライドドアの操作上の利便性が低下することとなる。
【０００５】
冒頭に述べた特許文献１から公知のスライドドア用密封装置では、ジャーナルがスライドドアの当該受容部に正確に嵌まり込むように、スライドドアの極めて精密な案内を必要とするという短所がある。そのような精密なスライドドア用案内を実現するためには高額な費用が不可欠であり、現在の技術水準から公知の解決手段では経済的に成り立たない。
【０００６】
したがって、本発明の目的は、ばね負荷されたアクチュエータに対抗する閉鎖機構によって、スライドドアが快適かつ容易に開放できる冒頭に述べた形式のスライドドア用密封装置を提供することである。
【課題を解決するための手段】
【０００７】
この目的を達成するのが、主請求項の特徴を有する冒頭に述べた形式のスライドドア用密封装置である。
【０００８】
さらに詳しくは、本発明は、１つの機構により下降できる底部パッキンを含むスライドドア用密封装置であって、前記機構はドアリーフの前面に突出したアクチュエータを含んでおり、該アクチュエータがスライドドアの閉鎖時にアクチュエータに作用している下降機構のばね力に抗して押し込まれ、またばね負荷されたアクチュエータにより付勢されるスライドドアの開放傾向に対抗するためのスライドドア用閉鎖機構を具備したスライドドア用密封装置において、前記閉鎖機構は前記ドアリーフ（１１）を閉鎖方向に引張る少なくとも１つの磁石要素（１２）を有することを特徴とするスライドドア用密封装置である。
【０００９】
本発明において、少なくとも１つの磁石要素（１２）または磁石用の相手部材が前記ドアリーフ（１１）またはフレームに取り付けられていることを特徴とする。
【００１０】
本発明において、少なくとも１つの磁石要素（１２）が少なくとも部分的に前記ドアリーフ（１１）またはフレームの溝（１３）に埋め込まれていることを特徴とする。
【００１１】
本発明において、前記磁石要素（１２）がばね要素（１４）によって前記ドアリーフまたはフレームの溝（１３）において軸方向弾性的に支持されていることを特徴とする。
【００１２】
本発明において、前記磁石要素（１２）または相手部材が前記底部パッキン（１６）用固定装置（１５）の上方の下部区域においてドアリーフ（１１）の前面に装着されていることを特徴とする。
【００１３】
本発明において、前記磁石要素（１２）または相手部材が、固定要素であるねじ（１７）によって、または接着結合によってドアリーフの前面に装着されていることを特徴とする。
【００１４】
本発明において、前記磁石要素（１２）または相手部材が、前記底部パッキン（１６）をドアリーフ（１１）へ固定するための固定要素（１５）である固定用アングルに装着されていることを特徴とする。
【００１５】
本発明において、前記磁石要素（１２）がほぼ円板状に構成されていることを特徴とする。
【００１６】
本発明において、前記磁石要素（１２）がそのほぼ中央に孔を備えていること、また固定ねじ（１７）によって単独で、あるいは固定用アングル（１５）と共にドアリーフ（１１）の前面に装着できることを特徴とする。
【００１７】
本発明において、前記磁石要素（１２）は、長孔（１９）を有する固定用アングル（１５）に装着でき、固定用アングル（１５）がドアリーフ（１１）に対して角度をなして装着できることを特徴とする。
【００１８】
本発明において、前記磁石要素（１２）のサイズおよび／または該磁石要素を構成する材料は、ばね力を受けるアクチュエータによって付勢されるスライドドアの開放傾向が僅かだけ過剰補償されるように選択されていることを特徴とする。
【００１９】
本発明において、スライドドアの閉鎖方向に作用する磁力が相手部材（２１）のサイズおよび／または肉厚によって決定されることを特徴とする。
【発明の効果】
【００２０】
本発明に従えば、閉鎖機構はドアリーフを閉鎖方向に引張る少なくとも１つの磁石要素を有することが提供される。磁力は、本発明に従えば、スライドドア用底部パッキンの起動力に適合できる。起動力が最適化されたスライドドア密封装置では、起動力は、たとえば最大２０Ｎ／ｍ台である。従来の自動起動式底部パッキンでは、起動力は通常はスライドドア幅に応じて２０〜６０Ｎである。本発明に従う解決手段ではスライドドアが磁石要素によって閉鎖方向に引張られることによって、錠または類似の閉鎖機構が不要となる。当然ながら磁力も過大に選択すべきでない。なぜなら、そうでなければスライドドアを開放するためにやはり過大な力を要するからである。理想的には、磁力はばね力を受けたアクチュエータにより惹起されるスライドドアの開放傾向を僅かだけ過剰補償するように、選択すべきである。磁力に影響を及ぼすパラメータは、特に磁石要素および／または磁石要素を構成する材料である。スライドドアの閉鎖方向に作用する磁力は、相手部材のサイズおよび／または肉厚によっても変化し得る。このようにして、相手部材によって微調整も行うことができる。磁力は、一方では磁石の磁束により、また他方では相手部材により決定できる。より多くの磁力線が両部材を貫流できるならば、磁力が増大する。理想的な比率が得られるのは、磁石要素と相手部材がほぼ等しい肉厚を有する場合である。薄い相手部材を選択すれば、磁力が低下する。そのため、たとえば厚さの異なる板状の金属製の相手部材を単に交換することによって、磁石の所要保持力を適合させることができる。本発明の好ましい構成に従えば、相手部材として用いた板を同時に下降できる底部パッキンのアクチュエータ用支持台としても使用できる。底部パッキンは、たとえば固定用アングルによってドアリーフに固定できる、また磁石要素を、たとえば該固定用アングルに取り付けることもできる。相手部材は、有利には枠材あるいはスライドドアを組み付けるフレームに取り付けられる。基本的には、磁石要素と相手部材の位置を入れ替えて、磁石要素をフレームに取り付けることも可能である。好ましい構造上の変更形態として、磁石要素を少なくとも部分的にドアリーフまたはフレームの溝にはめ込むことができる。この場合に、磁石要素も、たとえばばね要素を介してドアリーフまたはフレームの溝において、軸方向に弾性支持させることもできる。それによって、磁石要素をドアリーフまたはフレームから少し突出させることができ、またスライドドアの閉鎖時には磁石要素を少し溝に押し戻すことができる。
【００２１】
磁石要素を底部パッキン用固定装置の上方のドアリーフに装着する、あるいは該装置に組み込むことができる。磁石要素は、たとえばねじまたは固着結合によりドアリーフに装着できる。磁石要素は、本発明の好ましい実施形態に従えば、ほぼ円板状あるいはリング状に構成することができるが、その際に磁石要素は、たとえばおよそ中央に孔をあけた後に、固定ねじまたは類似の固定要素により直接的に、あるいは固定用アングルと共にドアリーフの前面に取り付けることができる。
【００２２】
本発明に従う目的のさらに好ましい実施形態では、下降できる底部パッキンをドアリーフに取り付けるための固定用アングルに磁石要素が組み込まれる。この固定用アングルは、たとえば長孔を有することもできるが、それにより該アングルをドアリーフに対して角度をなした状態でドアリーフに固定できるため、傾斜面を構成すること、あるいはそれによりやや傾斜して組み立てられたドアを調整することが可能である。固定用アングルにおけるそのような長孔により、スライドドア用底部パッキンも意図的に少し傾斜状態で組み立てることができる。
【００２３】
いわゆるフレーム・クリアランス、つまりドアリーフとフレームとの間隔が変化し得る、あるいはドアリーフもそれがフレーム面に対して平行に延びるように必ずしも組み立てられていないため、磁石要素を軸方向に弾性支持することが有利である。
【００２４】
磁力の粗調整は、各底部パッキンがどのような長さを有するかに応じて磁石要素の各サイズおよびその構成材料を選択することによって、たとえばメーカ側で実施することができる。次いで、微調整は、たとえば既に上述した方法で相手部材のサイズおよび肉厚の選択によって、現場において据付け技師が行うことができる。
【００２５】
従請求項において挙げられた特徴は、本発明に従う解決手段の好ましい実施形態に関するものである。本発明の詳細な長所は以下の詳しい説明により明らかにされる。
【発明を実施するための最良の形態】
【００２６】
本発明は、下記の添付図面を参照した複数の実施例に基づいて以下に詳しく説明される。
先ず、図１について説明する。同図はドアリーフ１１の下部の簡略化した斜視図を示しており、ドアリーフのほぼ前面が見える。参照記号１６で表されているのは下降できる底部パッキンであり、それはドアリーフ１１の溝１６ａに嵌め込まれている。この下降できる底部パッキン１６は密封形材１６ｂを含むが、それは下降したパッキン位置においてその基盤に当接して、下部ドア隙間を密封している。下降動作はドアリーフ１１の前面に突出したアクチュエータ２０により開始されるが、該装置はドアの閉鎖トルク時に押し込まれて、ここでは詳述しないばね作動式下降機構に作用して、それ自体公知の方法で密封形材１６ｂを下降させる。アクチュエータ２０は下降機構のばね力により付勢されており、またスライドドアに属するため、ばねはアクチュエータ２０をその原位置、すなわち、アクチュエータ２０がドアリーフ１１の前面で僅かに突出しており、また下降機構のばねが弛緩している位置へ押し戻そうとする（図２も参照）。それによってスライドドアの開放傾向が生じるが、そのため底部パッキンを備えた従来のスライドドアでは、スライドドアが自動的に開くことを阻止するロック装置を設けることが通例である。
【００２７】
ここで本発明に従う解決手段では、図１および図２に従う実施例においてドアリーフの溝１３内にある磁石要素１２を提案している。相応する相手部材（図４の符号２１参照）が図示されていないドアフレームに設けられているため、ドアリーフ１１はアクチュエータ２０に作用するばね力を過剰補償する磁力により閉鎖位置へ引張られて、閉鎖位置に留まる。
【００２８】
図１から見てとれるように、磁石要素１２は輪郭が、たとえば円形の磁石体であって、ほぼ円板状に構成されている（図２も参照）。磁石要素１２は固定用アングル１５の上方に位置しており、該アングルにより下降可能な底部パッキン１６がドアリーフ１１に固定される。
【００２９】
図２は磁石要素１２が部分的に溝１３により受容されることを示しているが、該要素はドアを開けた場合にはドアリーフ１１の前面から少しだけ突出することができる。磁石要素１２は、たとえばねじ１７によりドアリーフに固定されている。このねじ１７は、円板状磁石要素１２を貫通して延びることができる。さらに図２に従う実施例では、ばね１４、たとえばうず巻きばねが設けられており、それはねじ１７を囲むと共に、磁石要素１２と溝底との間の溝１３に配置されている。それにより、磁石要素１２はばね１４の力に抗して可撓弾性的に支持されている。したがって、磁石要素１２が図２におけるより少し前に突出しても、問題とならない。すなわち、ドアリーフ１１の前面とスライドドアが終止するドア枠との間の間隔における公差も補正することができる。磁力によって、磁石要素１２は相手部材付近に到達した時にばね力１４に抗して溝１３から引き出されるため、ここでも公差をカバーすることができる。固定用アングル１５は、本発明のこの変更形態において、たとえば別のねじ１８によってドアリーフ１１にねじ留めされて、底部パッキン１６を固定する。
【００３０】
上記とは少し異なる構造的解決手段として示されているのが、図３および図４に従う実施例である。この変更形態では、磁石要素１２は固定用アングル１５と組み合わされて、一体の構成要素をなしている。それによって、磁石要素１２と固定用アングル１５の双方を貫通して固定する単独の固定ねじ１７を用いて磁石要素１２と底部パッキン１６を同時に固定することができる。該固定ねじ１７用中央孔を備えた円板状磁石要素１２は、たとえば固定用アングル１５に接着することができる。
【００３１】
図４は、ドアリーフ用枠またはフレーム２２に装着された金属板形式の相手部材２１も示している。図４では、閉鎖位置においてフレーム２２とドアリーフ１１との間には相手部材２１とドアリーフ１１から少し突出した磁石要素１２によってカバーされる隙間があることが、充分に見てとれる。図４および図２の比較から分かるように、アクチュエータ２０はその押し込まれた作動位置にあり、また底部パッキン１６は基盤２３を密閉する閉鎖位置に下降している。
【００３２】
以下に図５および図６を参照して説明されるのは、本発明の第３の実施例である。この実施例は図３および図４を参照して説明された変更形態に類似しているが、図６の分解図が示すように、固定用アングル１５は長孔１９を備えている。これによって、第一には、磁石要素１２を固定ねじ１８により種々の高さ位置に固定することが可能であり、磁石要素１２に対する磁石要素１２の高さを変えることができる。図６が示すように、ドアリーフ１１には窪み２４があるため、固定用アングル１５は少し埋め込んだ位置でドアリーフ１１に取り付けることができる。固定用アングルの下部水平脚部１５ａに、底部パッキン１６が固定できる。
【００３３】
さらに、たとえば下部のドア隙間がスライドドアの全長にわたって大きさが異なる場合には、固定用アングル１５に設けた長孔１９を利用して、たとえば底部パッキン１６を水平線およびドアリーフ１１に対して少し傾いた（傾斜）位置に取り付けることができる。たとえばドア板ドアリーフが少し傾いて取り付けられている場合、すなわち、ドアリーフ１１の前面がスライドドアの枠に対して厳密には平行でない場合に、固定用アングル１５により傾斜面を構成することも有用であろう。この変更形態においても、磁石要素１２はほぼ中央の孔１２ａを備えた円板状に構成されるため、固定ねじ１８はこの孔１２ａおよび長孔１９を貫通してドアリーフ１１の窪み２４の区域にねじ込むことができる。
【図面の簡単な説明】
【００３４】
【図１】本発明に従う密封装置を備えたスライドドアのドアリーフの下部の部分斜視図である。
【図２】図１の変更形態に従うドアリーフの下部の垂直断面図である。
【図３】本発明に従う密封装置の変更形態の斜視図である。
【図４】図３に従う密封装置の垂直断面図であるが、底部パッキンがここでは図２の場合とは異なり、下降した状態で示されている。
【図５】本発明のさらに別の変更形態に従う密封装置を備えたドアリーフの部分斜視図である。
【図６】図５の変更形態に従う密封装置の分解斜視図である。
【符号の説明】
【００３５】
１１  ドアリーフ
１２  磁石要素
１３  溝
１４  ばね
１５  固定用アングル
１６  底部パッキン
１６ａ  溝
１６ｂ  密封形材
１７，１８  ねじ
１９  長孔
２０  アクチュエータ
２１  相手部材
２２  フレーム
２３  基盤
２４  窪み
【図１】
2007040098.tif 000003
【図２】
2007040098.tif 000004
【図３】
2007040098.tif 000005
【図４】
2007040098.tif 000006
【図５】
2007040098.tif 000007
【図６】
2007040098.tif 000008